(57)【要約】  バッグをビールで充填するためのバルブアセンブリが開示され、ここに該バッグは、開口部を有するビール樽中に収容される。該バルブアセンブリは、該樽開口部に固定されるように適合されたバルブボディーアセンブリを有する。該バルブアセンブリは、位置決め溝を有する接合受容のための複数の舌突起またはアルコール飲料容器用のバルブアセンブリの首のくぼみを有する不正開封防止リングを有する。また、該不正開封防止リングは、該バルブボディーアセンブリを通って延びる空気抜き通路の放出開口を閉じる。
2007537946.tif 000002
【特許請求の範囲】
【請求項１】
開口部を有する容器中に収容されたバッグを、アルコール飲料で満たすのに適合されたバルブアセンブリであって：
該開口部に固定されるように調整されたバルブボディーアセンブリ、ここに、該バルブボディーアセンブリは、該容器内で圧力を調節するためのおよびバッグの中へおよび外へのアルコール飲料の流れを調節するための複数のバルブ制御された通路を有し、ここに該バルブボディーアセンブリが該開口部に固定されている時、該バルブボディーアセンブリは該容器の外に位置する少なくとも１つの埋込型のくぼみを有し；および
該容器の外側の部分との被覆関係において該バルブボディーアセンブリで固定されるように適合された不正開封防止リングを含み、
ここに該不正開封防止リングは、内部リングエッジ部分から内方へ突出する複数の間隔を開けられたロッキング舌部分を有する該内部リングエッジ部分を有し、および該舌部分は、接合固定関係で、該少なくとも１つの埋込型のくぼみに係合することを特徴とする該バルブアセンブリ。
【請求項２】
該少なくとも１つのくぼみが、該バルブボディーアセンブリの周りに延びる環状溝を含む請求項１記載のバルブアセンブリ。
【請求項３】
該バルブボディーアセンブリが、さらに、開いた時に圧縮空気を容器から通気させる該バルブボディーアセンブリ、および不正開封防止リングの舌が少なくとも１つの埋込型のくぼみに係合する時に空気抜き通路を閉じる該不正開封防止リングを通って延びる該空気抜き通路を含む請求項１記載のバルブアセンブリ。
【請求項４】
該少なくとも１つのくぼみが、該バルブボディーアセンブリの周りに延びる第１の環状溝を含む請求項３記載のバルブアセンブリ。
【請求項５】
該容器が、該開口部を規定するカラーフランジを有するバルブアセンブリであって、該バルブアセンブリはさらに：
第２の環状溝を有する外壁部分を有する中心バルブボディー部分；および
内壁および外壁を有する中間カラーリングを含み、ここに該中間カラーリングは、それを通って延びる空気抜き通路を有し、該中間リングの内壁は、該中心バルブボディーの該外壁の該第２の環状溝に嵌合するように適合されたその内側に延びるフランジを有し、ならびに該中間リングの該外壁は、弾性かえしおよび該容器の該カラーフランジが保持される外側の溝を規定する間隔を設けたロッキングフランジを有し、およびここに、該かえしは跳ね返って、該開口部を通過し、該カラーフランジとロッキング係合して、該バルブアセンブリを所定の位置にロックする請求項４記載のバルブボディーアセンブリ。
【請求項６】
開口部を有する容器に収容されたバッグをアルコール飲料で満たすように適合されたバルブアセンブリであって：
該開口部に固定されるように適合された中間カラーリング、ここに、該中間カラーリングは、下方に垂れ下がった第１の埋込型環状溝および該中間カラーリングを通って延びる空気抜き通路を有し、ここに、該空気抜き通路は、該第１の埋込型環状溝に通気開口を有し；
該中間カラーリング内に固定されるように適合されたバルブボディー、ここに、該バルブボディーは、該容器内で圧力を調節するためのおよび該バッグの中へおよび外への該アルコール飲料の流れを調節するための複数のバルブ制御された通路を有し、ここに該バルブボディーは、該中間カラーリングの外側に延びる首部分を有し、ここに該首部分は、該バルブボディーアセンブリが該中間体カラーリングに固定される時、該容器の外側に位置する少なくとも１つの埋込型くぼみを有し；および
該容器の外側部分との被覆関係において該バルブボディーおよび中間カラーリングで固定されるように適合された不正開封防止リングを含み、
ここに該不正開封防止リングは、内部リングエッジ部分から内方へ突出する複数の間隔を開けられたロッキング舌部分を有し、該舌部分は、接合固定関係で、該少なくとも１つの埋込型のくぼみに係合し、ならびに該不正開封防止リングは、該中間カラーリングの該第１の埋込型環状溝に、接合固定関係で係合し、それにより通気開口を閉じるように適合された下方に垂れ下がった環状フランジを有することを特徴とする該バルブアセンブリ。
【請求項７】
該少なくとも１つのくぼみが、該バルブボディーの首の周りに延びる第２の環状溝を含む請求項６記載のバルブアセンブリ。
【請求項８】
該容器が、該開口部を規定するカラーフランジを有し、該バルブボディーが、第３埋込型環状溝を有する外壁部分を有し；および、該中間カラーリングが内壁および外壁を有し、ここに、該中間リングの該内壁は、該中心バルブボディーの外壁の該第３の埋込型環状溝に嵌合するように適合されたその内側に延びるフランジを有し、ここに、該中間リングの該外壁は、弾性かえしおよび該容器の該カラーフランジが保持される外溝を規定する間隔を設けたロッキングフランジを有し、ここに該かえしは、該開口部を通り、跳ね返って、該カラーフランジとロッキング係合して、該バルブアセンブリを所定の場所にロックする請求項６記載のバルブアセンブリ。
【請求項９】
開口部を有する樽；
アルコール飲料を収容するために、該樽に収容されたバッグ；および
該開口部に固定されるように適合されたバルブボディーアセンブリ、ここに該バルブボディーアセンブリは、該容器内で圧力を調節するためのおよび該バッグの中へおよび外への該アルコール飲料の流れを調節するための複数のバルブ制御通路を有し、ここに該バルブボディーアセンブリは、該バルブボディーアセンブリが該開口部に固定される時、該容器の外側に位置する少なくとも１つの埋込型くぼみを有し：および
該容器の外側部分との被覆関係において、該バルブボディーアセンブリで固定されるように適合された不正開封防止リングを含み、
ここに、該不正開封防止リングは、内部リングエッジ部分から内方へ突出する複数の間隔を開けられたロッキング舌部分を有し、該舌部分は、接合固定関係で、該少なくとも１つの埋込型のくぼみに係合することを特徴とするアルコール飲料分注器具。
【請求項１０】
該少なくとも１つのくぼみが、該バルブボディーアセンブリの周りに延びる環状溝を含む請求項９記載のバルブアセンブリ。
【請求項１１】
該バルブボディーアセンブリが、さらに、開いた時に圧縮空気を容器から通気させる該バルブボディーアセンブリ、および不正開封防止リングの舌が少なくとも１つの埋込型のくぼみに係合する時に空気抜き通路を閉じる該不正開封防止リングを通って延びる該空気抜き通路を含む請求項９記載のバルブアセンブリ。
【請求項１２】
該少なくとも１つのくぼみが、該バルブボディーアセンブリの周りに延びる環状溝を含む請求項１１記載のバルブアセンブリ。
【発明の詳細な説明】
【技術分野】
【０００１】
本発明は、アルコール飲料容器のバルブアセンブリと共に、またはその一部として使用するための不正開封防止リングに関する。
【背景技術】
【０００２】
ボール紙タイプの容器に収容されたバッグの中のワインのように、アルコールを収容することは知られている。さらに、バッグの中にビールを保存するために、樽に挿入されたバッグを使用することが知られている。ビール樽の場合、圧力を該バッグに適用して、バルブボディーアセンブリを介して、該バッグからおよび該樽からビールを分注する。さらに、該バッグは、該ビールが該バルブボディーアセンブリを介して該バッグに注がれる前に、該樽容器に挿入される。
【０００３】
該バルブボディーアセンブリの下方側を支持し、該樽からの該バルブボディーアセンブリの取外しを防ぐための不正開封防止リングの使用は知られている。該不正開封防止リングは、バルブボディーの外径より小さい内側リング寸法を有して、そのため、該リングは、該バルブボディーに対して圧入される。さらに、不正開封防止リングは、該バルブボディーアセンブリを通る空気抜き通路を閉じるのに使用されている。該不正開封防止リングが、空気抜き通路から動かされるまたは該容器から取外されると、該バッグおよび該樽の内側のライナー壁の間の圧縮空気は、空気抜き通路を通って安全に流れ出る。しかしながら、該バルブボディーアセンブリと該不正開封防止リングの圧入組立の間に、該不正開封防止リングを、最終的な安定した位置に完全に押し込むことはしばしば困難である。結果として、該バルブアセンブリの首での垂直方向の隙間は、該バルブアセンブリのヘッド上に、樽アダプターを設置し接続するには不十分かもしれない。いくつかの例において、該空気抜き通路が閉じられず、該バッグおよび該樽内壁の間からの圧縮空気を逃がす程度まで、該不正開封防止リングが、該バルブアセンブリに適切に着座しない可能性があり得る。従って、これらの問題がない不正開封防止リングに対する必要性が存在する。
【発明の開示】
【０００４】
本発明は、アルコール飲料容器用のバルブアセンブリの首に、溝または、くぼみを有する接合受容のための複数の舌突起を有する不正開封防止リングの使用に関する。利点は、該舌部分へと、該バルブの該首に対してプレスされる不正開封防止リングの表面部分を、所望により、制限するまたは減少させつつ、当該２つのパーツが相互に対してポジティブに置かれるような、該バルブアセンブリのヘッドでの該舌部分および定位溝の使用で見出される。これによって、該不正開封防止リングの不適切な設置の発生を減らし、それにより、タップアダプターの該バルブアセンブリの首上への効果的な接続を可能とする。
【０００５】
該バルブアセンブリは、該容器内の圧力を調節するためのおよび該バッグの中へおよび外への該アルコール飲料の流れを調節するための複数のバルブ制御された通路を有する。該バルブボディーアセンブリは、該バルブボディーアセンブリが該開口部に固定される時に、該容器の外に位置する少なくとも１つの埋込型くぼみを有する。該不正開封防止リングは、内部リングエッジ部分から内方へ突出する複数の間隔を開けられたロッキング舌部分を有する該内部リングエッジ部分を有する。該舌部分は、接合固定関係で、該少なくとも１つの埋込型のくぼみに係合する。
【０００６】
１つの具体例において、該少なくとも１つの埋込型のくぼみは、該バルブボディーアセンブリの周りに延びる環状溝を含む。別法として、各舌部分に対するくぼみであってよい。該１つの具体例において、３つの舌部分は、該不正開封防止リングの該内エッジリング部分の周りに等間隔に置かれる。代替の具体例において、２および４以上の舌部分を利用してもよいことが理解されるべきである。
【０００７】
１つの具体例において、該バルブボディーアセンブリは、さらに、開口した時に該容器から圧縮空気を通気する該バルブボディーアセンブリを通って延びる空気抜き通路を含む。該不正開封防止リングの舌が、該少なくとも１つの埋込型くぼみに係合する時、該不正開封防止リングは、該空気抜き通路を閉じるために、この１つの具体例において使用される。
【０００８】
本発明の１つの態様に従って、バッグをアルコール飲料で満たすのに適合されたバルブアセンブリが提供され、バッグは開口部を有する容器中に収容される。該バルブアセンブリは、該開口部に固定されるように適合されたバルブボディーアセンブリを含む。該バルブボディーアセンブリは、該容器内で圧力を調節するためのおよび該バッグの中へおよび外へのアルコール飲料の流れを調節するための複数のバルブ制御された通路を有する。該バルブボディーアセンブリが該開口部に固定される時、該バルブボディーアセンブリは、該容器の外に位置する少なくとも１つの埋込型くぼみを有する。不正開封防止リングは、該容器の外側部分との被覆関係において該バルブボディーアセンブリで固定するように適合される。該不正開封防止リングは、内部リングエッジ部分から内方へ突出する複数の間隔を開けられたロッキング舌部分を有する該内部リングエッジ部分を有する。該舌部分は、接合固定関係で、該少なくとも１つの埋込型のくぼみに係合する。
【０００９】
発明の詳細な記載
図１および２を参照し、家庭用ビール分注装置、器具またはユニット１０が示される。該分注装置１０は、主に、家庭の台所での使用に意図されるが、ユーティリティ室、ガレージ、家庭内バー、キャラバン等で使用されてもよい。該好ましい具体例は、ビール分注に関するが、別法として、炭酸溶液または他のアルコール飲料を、装置１０によって分注することもできる。
【００１０】
該家庭用ビール分注装置１０は、前壁１２および該前壁１２より前方に突き出ている分注タップ１４を有する。ドリップトレイ１６も該前壁１２より前方に突き出ており、該分注タップ１４下の空のガラス容器１８を支えるように適合される。該家庭用ビール分注装置１０は、さらに、カウンタートップの上に静止するように適合されたベース２１を有する。該前壁１２は、閉鎖位置および開放位置の間を動かされて、該容器がまたは、示された具体例においては、樽２２（破線の図２参照）を該家庭用ビール分注装置１０のハウジングへと挿入させる２つの駆動する側壁２０の拡張である。
【００１１】
該家庭用ビール分注装置１０のハウジングは、さらに、頂壁２４および背壁２６を含む。該背壁２６は、該家庭用ビール分注装置１０内の空気の循環を可能にするグリル３０を有する。電気コード３２は、該装置１０の該背壁２６を通って延びて、主電源供給への接続を提供して、該ユニット１０内に収容された該電気要素に電力を供給する。別法として、１２ボルトＤＣ供給インプットを使用してもよい。
【００１２】
該分注装置１０は、樽２２が分注装置１０に入れられた時、樽２２の中のビールを冷却するように適合された樽２２の後方および下方に位置する冷却システム３４を有する。
【００１３】
さて、図３および４を参照して、該バルブアセンブリ４０およびスペア１０２が示される。
【００１４】
該バルブアセンブリ４０は、樽２２の隆起したカラー開口部４２に嵌合するように適合される。該バルブアセンブリ４０は、該開口部４２に固定された円環型中心バルブボディーアセンブリ４６を有する。該バルブボディーアセンブリまたはバルブボディー４６は、環状溝４７およびタップ１４に接続されたタップ分注アダプター（示されず）と接合するために、該樽２２の上に延びるように適合されたフランジ４９を有する（図１および２参照）。
【００１５】
示された具体例において、該バルブボディー４６は、相互から間隔を開け、該バルブボディー４６を通って延びる第１の通路４８、第２の通路５０、および第３の通路５２を有する。該第１の通路４８は、中心に配置されるかあるいは該バルブボディー４６内に置かれ、該第２および第３の通路５０、および５２は、該第１の中心通路４８の径方向に間隔を開けられる。
【００１６】
該バルブアセンブリ４０は、第１のバルブ５４、第２のバルブ５６および第３のバルブ５８を含む。該第１のバルブ５４は、該バッグ４４の中へおよび外への該第１の通路４８を通る該飲料またはビールの流れを制御するために、該第１の通路４８に着座される。
【００１７】
該第２のバルブ５６は、該バッグ４４の中へおよび外への該第２の通路５０を通る二酸化炭素のようなガスの流れを制御するために、該第２の通路５０に着座される。
【００１８】
該第３のバルブ５８は、該第３の通路５２に着座され、該バッグ４４の外にある該樽２２の中へおよび外への該第３の通路５２を通るガスの流れを制御する。
【００１９】
該バルブボディー４６は、該バルブボディー４６の内壁に埋め込まれた環状の埋込溝を有する。該内壁は、該樽２２内に位置される。該埋込溝６２は、それとの圧入関係において、バッグ４４の首を受け取るように調整される。該環状の埋込溝６２は、該第１および第２の通路４８および５０を取り囲む直径を有する。該第３の通路５２は、該埋込溝６２の直径の外側に置かれ、結果として、該第３の通路５２は、該バッグ４４の外側に置かれる。
【００２０】
該樽２２は、該バルブボディーが固定され得る該樽開口部４２を規定する隆起したカラーリングフランジ８２を有する。該バルブボディー４６は、該外壁６３の周りに延びる埋込溝６１を有する外側の周壁６３を有する。該バルブアセンブリ４０は、中間カラーリング、または該隆起カラー開口部４２内に該バルブボディー４６を着座させるように適合された注ぎ口８０を有する。該中間カラーリング８０は、内壁および外壁８４、８６を有する。該内壁８４は、該バルブボディー４６の該外壁６３の該埋込溝６１に嵌合するように適合されたその内側に延びるフランジ８８を有する。該中間リング８０の該外壁８６は、該樽２２の該カラーフランジ８２が保持される外側定位溝９４を規定するように、弾性かえし９０および該かえし９０から間隔を開けられたロッキングフランジ９２を有する。該かえし９０は、該開口部４２を通過し、該バルブアセンブリ４０を所定の位置にロックするように跳ね返って、カラーフランジ８２とロッキング係合するように適合される。一旦該樽が再充填のために醸造所に戻ると、該樽２２の該カラーフランジ８２から、該バルブアセンブリ４０および該中間カラーリング８０を取外すのに、特別なツールが必要である。
【００２１】
該樽２２の内容物が不正に開封されていないことを保障するために、該樽２２は、図４、５、および６で最も良く分かるように、不正開封防止リング９６を有する。該不正開封防止リング９６は、該中間カラーリング８０、該樽２２の一部および該バルブボディー４６の一部を覆う。該不正開封防止リング９６外観を見れば、ユーザーは、該不正開封防止リングが動かされたかを直ぐに同定することができる。
【００２２】
該中間カラーリング８０は、前述のように、該開口部４２で固定されるように適合される。該中間カラーリング８０は、下方に垂れ下がった埋込型環状溝２００を持つ外側表面２０４を有する。通路９８は、開いている時、樽２２からの圧縮空気を大気中へと放出する。該空気抜き通路９８は、該環状溝２００との空気流動連絡において通気開口２０２を有する。
【００２３】
該不正開封防止リング９６は、該中間カラーリング８０の外側を向いている表面２０４の環状溝２００へと挿入される下方に垂れ下がったフランジ部分１００を有する。該不正開封防止リング９６が該樽２２から外される場合、通気開口部９８が開き、該樽２２内の内容物またはいずれかの圧力が放出される。さらに、圧力抜き機能として、該不正開封防止リング９６は、樽２２中の圧力が所定のバルブを超える時、開口部９８から放出して、開口部９８を介して圧縮空気を放出するように設計されてもよい。
【００２４】
該バルブボディー４６は、前述のように、該中間カラーリング８０内に固定されるように適合される。該バルブボディー４６は、該中間カラーリング８０から外側に延びる首部分２１０を有する。該首部分は、該首部分の周りに延びる環状溝２１２を有する。該環状溝２１２は、該不正開封防止リング９６のロッキング舌部分２５０を接合固定係合において受け取る。該ロッキング舌部分２５０は、該中間カラーリング８０および該樽２２の外側の部分を覆うように、該バルブボディー４６で、該不正開封防止リングを着座位置において固定する。該不正開封防止リング９６は、均等に間隔を開けられたロッキング舌部分２５０がそれから内側に突出する内側リングエッジ部分２６０を有する。該舌部分２５０は、該不正開封防止リング９６が該バルブボディー４６の該首部分
２１０に押されるにつれ、屈曲し、跳ね返って、該バルブボディーの該環状溝２１２とロッキング係合する。示された具体例において、該内側リングエッジ部分２６０は、該バルブボディーの該首部分２１０の外径より僅かに大きい内径を有する。結果的に、該バルブボディーとの該不正開封防止リング９６の圧入は、該舌部分２５０との接触に制限される。
【００２５】
本発明の性質および目的をより理解するために、添付の図表への言及があってもよい：
【図面の簡単な説明】
【００２６】
【図１】図１は、本発明による家庭用ビール分注装置の正面図である；
【図２】図２は、該家庭用ビール分注装置の側面図である；
【図３】図３は、該樽内に取り付けられたバルブおよびスペアアセンブリを示す該樽の分解透視図である；
【図４】図４は、図３に示されるように、該バルブおよびスペアアセンブリの側断面図である；
【図５】図５は、該不正開封防止リングを含む該バルブアセンブリの透視図である；ならびに
【図６】図６は、該不正開封防止リングの透視図である。
【図１】
2007537946.tif 000003
【図２】
2007537946.tif 000004
【図３】
2007537946.tif 000005
【図４】
2007537946.tif 000006
【図５】
2007537946.tif 000007
【図６】
2007537946.tif 000008
【国際調査報告】
2007537946.tif 000009
2007537946.tif 000010